(57)【要約】【課題】本原稿の綴じ代部分を適切に読取ることができる画像読取り装置を提供する。【解決手段】画像読取り装置１５は、本原稿１００を頁面が開いた状態で載置する載置テーブル１５１と、載置テーブル１５１に載置された本原稿１００の頁面を読取る読取り手段と、載置テーブル１５１に取り付けられて、載置テーブル１５１を覆う原稿カバー１５２と、原稿カバー１５２の本原稿１００に対面する側の壁面から突出して、本原稿１００を載置テーブル１５１に向かって押圧する押圧手段としての原稿押さえローラ１５３とを備える。【選択図】図２
2009098577.tif 000002
【特許請求の範囲】
【請求項１】
本原稿を頁面が開いた状態で載置する載置テーブルと、
前記載置テーブルに載置された本原稿の頁面を読取る読取り手段と、
前記載置テーブルに取り付けられて、前記載置テーブルの上面を覆う原稿カバーと、
前記原稿カバーの本原稿に対面する側の壁面から突出して、本原稿を前記載置テーブルに向かって押圧する押圧手段とを備える、画像読取り装置。
【請求項２】
本原稿は、頁面を開いた状態で前記載置テーブル上に載置されたとき、その裏面側に矩形状の背表紙が位置し、
前記原稿カバーは、本原稿の背表紙の長手方向一方側を前記載置テーブルに向かって押圧し、
前記押圧手段は、本原稿の背表紙の長手方向他方側を前記載置テーブルに向かって押圧する、請求項１に記載の画像読取り装置。
【請求項３】
前記押圧手段は、背表紙の長手方向と交差する方向に延びている、請求項２に記載の画像読取り装置。
【請求項４】
前記原稿カバーは、前記押圧手段を収納する収納領域を有し、
前記原稿カバーの本原稿に対面する側の壁面は、前記押圧手段を収納した状態で平坦面となる、請求項１〜３のいずれかに記載の画像読取り装置。
【請求項５】
請求項１〜４のいずれかに記載の画像読取り装置と、
前記画像読取り装置によって読取られた原稿を画像形成する画像形成手段とを備える、画像形成装置。
【発明の詳細な説明】
【技術分野】
【０００１】
この発明は、画像読取り装置、特に本原稿を読取る画像読取り装置、および画像読取り装置を備えた画像形成装置に関するものである。
【背景技術】
【０００２】
従来の画像形成装置には、原稿をプラテンに押し付けるための原稿押さえカバーが設けられている。しかし、原稿押さえカバーは、本原稿を背表紙の一箇所でしか押さえることができないので、綴じ代部分を適切に読取ることができなかった。
【０００３】
そこで、上記の問題点を解消した画像形成装置が、例えば、特開２００４−２４０３５１号公報（特許文献１）に記載されている。同公報に記載されている画像形成装置は、原稿を載置するプラテンと、原稿をプラテンに押し付ける原稿押さえカバーと、原稿押さえカバーをプラテンに対して任意の開角度で支持する支持手段とを備える。上記構成とすることにより、本原稿を手で押さえながらコピーする際に、原稿押さえカバーが手に覆い被さるのを防止することができると記載されている。
【特許文献１】特開２００４−２４０３５１号公報
【発明の開示】
【発明が解決しようとする課題】
【０００４】
上記構成の画像形成装置では、原稿を押さえるという原稿押さえカバー本来の機能を発揮することができない。また、本原稿をコピーする際には、手で背表紙を押さえつけなければならず、煩雑である。
【０００５】
そこで、この発明の目的は、本原稿の綴じ代部分を適切に読取ることができる画像読取り装置、およびこのような画像読取り装置を備えた画像形成装置を提供することである。
【課題を解決するための手段】
【０００６】
この発明に係る画像読取り装置は、本原稿を頁面が開いた状態で載置する載置テーブルと、載置テーブルに載置された本原稿の頁面を読取る読取り手段と、載置テーブルに取り付けられて、載置テーブルの上面を覆う原稿カバーと、原稿カバーの本原稿に対面する側の壁面から突出して、本原稿を載置テーブルに向かって押圧する押圧手段とを備える。
【０００７】
好ましくは、本原稿は、頁面を開いた状態で載置テーブル上に載置されたとき、その裏面側に矩形状の背表紙が位置する。原稿カバーは、本原稿の背表紙の長手方向一方側を載置テーブルに向かって押圧する。押圧手段は、本原稿の背表紙の長手方向他方側を載置テーブルに向かって押圧する。
【０００８】
好ましくは、押圧手段は、背表紙の長手方向と交差する方向に延びている。
【０００９】
好ましくは、原稿カバーは押圧手段を収納する収納領域を有する。そして、原稿カバーの本原稿に対面する側の壁面は、押圧手段を収納した状態で平坦面となる。
【００１０】
この発明に係る画像形成装置は、上記のいずれかに記載の画像読取り装置と、画像読取り装置によって読取られた原稿を画像形成する画像形成手段とを備える。
【発明の効果】
【００１１】
この発明によれば、原稿カバーと押圧手段とによって背表紙の２箇所で本原稿を押さえることができる。その結果、綴じ代部分を適切に読取り可能な画像読取り装置および画像形成装置を得ることができる。
【発明を実施するための最良の形態】
【００１２】
以下、この発明の実施の形態を、図面を参照して説明する。図１はこの発明の一実施形態に係る画像形成装置を、デジタル複合機１０に適用した場合のデジタル複合機１０の構成を示すブロック図である。なお、図１において太線の矢印は画像データの流れを示しており、細線の矢印は制御信号または制御データの流れを示している。
【００１３】
図１を参照して、デジタル複合機１０は、デジタル複合機１０全体を制御する制御部１１と、画像データ等の書込みや読出しを行うためのＤＲＡＭ１２と、デジタル複合機１０の有する情報を表示する表示画面を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿の画像を所定の読取り位置で読取る画像読取り装置１５と、画像読取り装置１５で読取られた原稿等からその画像を形成し、用紙に出力する画像形成手段としての画像形成部１６と、画像データ等を格納するハードディスク１７と、公衆回線２０に接続されるＦＡＸ通信部１８と、ネットワーク２１と接続するためのネットワークＩＦ（インターフェース）部１９とを備える。
【００１４】
デジタル複合機１０は、画像読取り装置１５により読取られた原稿を用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンタとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り装置１５により読取られた原稿の画像データを、ＦＡＸ通信部１８を通じて公衆回線２０に画像データを送信することにより、ファクシミリ装置として作動する。
【００１５】
制御部１１は、画像読取り装置１５から与えられる原稿データをＤＲＡＭ１２に圧縮符号化して書き込み、ＤＲＡＭ１２に書き込んだデータを読出し、伸張符号化して画像形成部１６により出力する。
【００１６】
次に、図２〜図４を参照して、この発明の一実施形態に係る画像読取り装置１５を説明する。なお、図２および図３は画像読取り装置１５を横方向から見た図、図５は画像読取り装置１５の平面図である。
【００１７】
まず、図２を参照して、画像読取り装置１５は、本原稿１００を頁面が開いた状態で載置する載置テーブル（コンタクトガラス）１５１と、原稿読取り手段としてのＣＣＤカメラ（図示省略）と、原稿カバー１５２と、押圧手段としての原稿押さえローラ１５３とを備える。
【００１８】
原稿カバー１５２は、ヒンジ１５４によって載置テーブル１５１に回動可能に取り付けられている。この原稿カバー１５２は、載置テーブル１５１の上面を覆うと共に、原稿を載置テーブル１５１に押し付けている。具体的には、本原稿１００は、頁面を開いた状態で載置テーブル１５１上に載置されたとき、その裏面側に矩形状の背表紙が位置する。そして、原稿カバー１５２は、本原稿１００を背表紙の長手方向一方側のＰ部で載置テーブル１５１に押圧している。
【００１９】
原稿押さえローラ１５３は、原稿カバー１５２の本原稿１００に対面する側の壁面から突出して、本原稿１００を背表紙の長手方向他方側のＱ部で載置テーブル１５１に押圧している。
【００２０】
図３を参照して、原稿カバー１５２には、原稿押さえローラ１５３を収納する収納領域が設けられている。そして、原稿押さえローラ１５３は、レバー１５５とリンク機構１５６とによって突出状態（図２の状態）と収納状態（図３の状態）とに切替可能となっている。
【００２１】
具体的には、図２に示すようにレバー１５５を右に移動させると、リンク機構１５６によって原稿押さえローラ１５３が原稿カバー１５２から突出する。一方、図３に示すようにレバー１５５を左に移動させると、リンク機構１５６によって原稿押さえローラ１５３が原稿カバー１５２に収納される。
【００２２】
上記構成の画像読取り装置１５は、本原稿１００を読取る場合に背表紙の長手方向一方側（Ｐ部）を原稿カバー１５２で押さえ、長手方向他方側（Ｑ部）を原稿押さえローラ１５３で押さえることによって、綴じ代部分を適切に読取ることが可能となる。なお、綴じ代部分を適切に読取るためには、Ｐ部とＱ部とをできるだけ離れた位置とするのが望ましい。
【００２３】
また、原稿押さえローラ１５３は、レバー１５５の操作によって突出量を調整することができるので、本原稿１００を手で押さえる必要がない。さらに、紙原稿（「綴じられていない原稿」を指す）を読取る場合には、原稿押さえローラ１５３を原稿カバー１５２に収納すればよい。
【００２４】
また、原稿カバー１５２には、本原稿１００に対面する側の壁面に沿って原稿マット１５７が取り付けられている。この原稿マット１５７は、伸縮性の高い素材で形成されており、図２に示す突出状態においては、原稿押さえローラ１５３に引っ張られて伸張する。一方、図３に示す収納状態においては、原稿カバー１５２の壁面に沿って収縮する。つまり、収納状態においては、本原稿１００に対面する原稿カバー１５２の壁面は平坦面となる。
【００２５】
次に、図４を参照して、原稿押さえローラ１５３は、載置テーブル１５１上に載置される本原稿１００の背表紙の長手方向に交差（この実施形態では「直交」）する方向に延びている。この実施形態では、載置テーブル１５１の横方向（図４の左右方向）のほぼ全域に設けられている。背表紙の位置は、本原稿１００の大きさによってそれぞれ異なる。そこで、上記構成とすることにより、本原稿１００のサイズに拘らず、適切に背表紙を押圧することが可能となる。
【００２６】
なお、原稿押さえローラ１５３と本原稿１００とを接触させた際に原稿カバー１５２が浮き上がると、本原稿１００を適切に押圧することができない。そこで、原稿カバー１５２を図２の状態で保持するために、ヒンジ１５４に原稿カバー１５２の回動を禁止するためのロック手段を設けるのが望ましい。
【００２７】
また、上記の実施形態においては、押圧手段として原稿押さえローラ１５３の例を示したが、これに限ることなく、本原稿１００の背表紙を適切に押さえることができる形状であればどのようなものであってもよい。
【００２８】
また、上記の実施形態においては、伸縮性の高い原稿マット１５７を採用した例を示したが、これに限ることなく、原稿押さえローラ１５３の状態に合わせて原稿マット１５７を巻き取ったり、引き出したりできる構成としてもよい。
【００２９】
具体的には、原稿カバー１５２内に原稿マット１５７を巻き取る巻き取り手段を設ける。この巻き取り手段は、常に原稿マット１５７を巻き取る方向に付勢している。そして、原稿押さえローラ１５３を突出させると、原稿マット１５７が巻き取り手段に逆らって引き出されるようにすればよい。
【００３０】
さらに、上記の実施形態においては、デジタル複合機１０の画像読取り装置１５にこの発明を適用した例を示したが、これに限ることなく、他の機器、例えばスキャナ等の画像読取り装置に適用してもこの発明の効果を得ることができる。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００３２】
【図１】この発明の一実施形態に係るデジタル複合機の全体構成を示すブロック図である。
【図２】図１に示す画像読取り装置を示す図であって、原稿押さえローラの突出状態を示す図である。
【図３】図１に示す画像読取り装置を示す図であって、原稿押さえローラの収納状態を示す図である。
【図４】図１に示す画像読取り装置の平面図である。
【符号の説明】
【００３３】
１０  デジタル複合機、１１  制御部、１２  ＤＲＡＭ、１３  操作部、１４  原稿送り装置、１５  画像読取り装置、１６  画像形成部、１７  ハードディスク、１８  ＦＡＸ通信部、１９  ネットワークＩＦ部、２０  公衆回線、２１  ネットワーク、２２  パソコン、１００  本原稿、１５１  載置テーブル、１５２  原稿カバー、１５３  原稿押さえローラ、１５４  ヒンジ、１５５  レバー、１５６  リンク機構、１５７  原稿マット。
【図１】
2009098577.tif 000003
【図２】
2009098577.tif 000004
【図３】
2009098577.tif 000005
【図４】
2009098577.tif 000006